(57)【要約】【課題】水平２方向にバネ定数を容易かつ自在に設定できるとともに、鉛直方向のバネ定数は高く維持できる回転機械支持装置を提供する。【解決手段】回転駆動される回転軸２を有する回転機械５を支持する回転機械支持装置であって、回転機械５をバネ１０を介して支持する支持体７を備え、バネ１０は、固体材料１に対し、第１の水平方向に深さを持つ第１の溝３ａ、３ｄと、第１の水平方向と交差する第２の水平方向に深さを持つ第２の溝３ｂ、３ｃとが入れられたものであり、第１および第２の溝の各々は、該溝の深さ方向と交差する方向であって該溝が延びる方向に固体材料を貫通している。【選択図】図１
2010014596.tif 000002
【特許請求の範囲】
【請求項１】
回転駆動される回転軸を有する回転機械を支持する回転機械支持装置であって、
前記回転機械をバネを介して支持する支持体を備え、
前記バネは、固体材料に対し、第１の水平方向に深さを持つ第１の溝と、該第１の水平方向と交差する第２の水平方向に深さを持つ第２の溝とが入れられたものであり、
第１および第２の溝の各々は、該溝の深さ方向と交差する方向であって該溝が延びる方向に前記固体材料を貫通している、ことを特徴とする回転機械支持装置。
【請求項２】
前記溝はスリット状である、ことを特徴とする請求項１に記載の回転機械支持装置。
【請求項３】
前記回転機械支持装置が前記回転機械を支持している状態における前記回転機械支持装置の固有振動数が、前記回転機械の使用回転周波数の範囲外に設定されている、ことを特徴とする請求項１または２に記載の回転機械支持装置。
【請求項４】
前記固体材料には、深さ方向が第１の溝と反対方向となる第３の溝が形成されており、かつ、第１および第３の溝は、鉛直方向に間隔をおいて設けられており、
第３の溝は、該溝の深さ方向と交差する方向であって該溝が延びる方向に前記固体材料を貫通している、ことを特徴とする請求項１〜３のいずれかに記載の回転機械支持装置。
【請求項５】
所定の水平左右方向に間隔を置いて配置された１対の前記バネが、該水平左右方向と直交する水平前後方向の２箇所に設けられており、
前記回転機械支持装置が前記回転機械を支持している状態における、第１の水平方向に関する回転機械支持装置の固有振動数、第２の水平方向に関する回転機械支持装置の固有振動数、鉛直方向に関する回転機械支持装置の固有振動数、第１の水平方向を向く中心軸の周りの回転方向に関する回転機械支持装置の固有振動数、鉛直方向を向く中心軸の周りの回転方向に関する回転機械支持装置の固有振動数、および第２の水平方向を向く中心軸の周りの回転方向に関する回転機械支持装置の固有振動数は、いずれも前記回転機械の使用回転周波数の範囲外になるように、前記溝が形成されている、ことを特徴とする請求項１〜４のいずれかに記載の回転機械支持装置。
【発明の詳細な説明】
【技術分野】
【０００１】
本発明は、過給機やターボ圧縮機やガスタービンなどの回転機械を支持する回転機械支持装置に関する。
【背景技術】
【０００２】
過給機やターボ圧縮機やガスタービンなどの回転軸を有する回転機械においては、製品出荷前などに、回転軸を高速回転させた状態で回転アンバランス量を計測して、回転バランスの健全性を確認することが行われている。その際、回転機械の水平方向あるいは鉛直方向の振動特性（加速度、周波数、振幅）を分離して計測する必要がある。
【０００３】
上述した回転バランス修正を精度よく行うためには、回転機械の回転アンバランス量を精度よく計測することが前提となる。回転アンバランスの計測は、計測用のマウントとしての回転機械支持装置で回転機械を支持した状態で行う。
【０００４】
過給機のアンバランス計測に関する先行技術文献として、下記特許文献１、２がある。
【特許文献１】特開２００２−３９９０４号公報
【特許文献２】特開２００５−２０７８０５号公報
【発明の開示】
【発明が解決しようとする課題】
【０００５】
回転機械支持装置がバネを用いない定盤である場合には、定盤上で発生する外乱振動の影響を受けてしまい、この影響を回転機械固有の振動特性と分離するのが困難であった。また、バネを用いない定盤で回転機械を支持する場合、回転機械を定盤に固定するための締結ネジのトルクによって、振動特性が変化する可能性があった。
【０００６】
また、回転機械支持装置が一般的なバネ（例えばコイルバネや皿バネ）を介して回転機械を支持する場合には、バネ定数の設定自由度が小さく、バネ特性を水平２方向に分離できず、また、バネ定数を高く設定することが困難であった。バネ定数を高く設定できないと、回転機械支持装置の固有値が回転数域内に入るため共振してしまい、回転機械特有の振動特性を分離することが困難であった。また、一般的なバネを介して回転機械を支持する場合には、回転機械支持装置で支持された回転機械の回転軸の一部を除去加工してバランス修正する場合に、バネによる鉛直方向変位のため除去加工位置が安定しない可能性があった。
【０００７】
そこで、本発明の目的は、水平２方向にバネ定数を容易かつ自在に設定できるとともに、鉛直方向のバネ定数は高く維持できる回転機械支持装置を提供することにある。
【課題を解決するための手段】
【０００８】
上記目的を達成するため、本発明によると、回転駆動される回転軸を有する回転機械を支持する回転機械支持装置であって、
前記回転機械をバネを介して支持する支持体を備え、
前記バネは、固体材料に対し、第１の水平方向に深さを持つ第１の溝と、該第１の水平方向と交差する第２の水平方向に深さを持つ第２の溝とが入れられたものであり、
第１および第２の溝の各々は、該溝の深さ方向と交差する方向であって該溝が延びる方向に前記固体材料を貫通している、ことを特徴とする回転機械支持装置が提供される。
【０００９】
上記本発明の回転機械支持装置では、前記回転機械をバネを介して支持する支持体を備え、前記バネは、固体材料（例えば、柱状の固体材料）に対し、第１の水平方向に深さを持つ第１の溝と、該第１の水平方向と交差する第２の水平方向に深さを持つ第２の溝とが入れられたものであり、第１および第２の溝の各々は、該溝の深さ方向と交差する方向であって該溝が延びる方向に前記固体材料を貫通しているので、第１の溝の幅と深さを変えることで、第１の水平方向におけるバネ定数を容易かつ自在に設定することができ、第２の溝の幅と深さを変えることで、第２の水平方向におけるバネ定数を容易かつ自在に設定することができ、しかも、鉛直方向にはバネ定数・剛性を高く維持することができる。
このように、鉛直方向にはバネ定数・剛性を高いので、回転機械支持装置で回転機械を支持した状態で、バランス修正加工を行う場合に、特別な固定機構を用いなくとも、鉛直方向位置の加工位置が安定する。なお、バネを介して回転機械を支持するので、支持体で発生する外乱振動の影響を遮断でき、上述の締結ネジのトルクによる影響も排除することができる。
【００１０】
本発明の好ましい実施形態によると、前記溝はスリット状である。
【００１１】
このように、前記溝はスリット状であるので、固体材料にスリットを入れる簡単な加工によりバネを製作できる。
【００１２】
本発明の好ましい実施形態によると、前記回転機械支持装置が前記回転機械を支持している状態における前記回転機械支持装置の固有振動数が、前記回転機械の使用回転周波数の範囲外に設定されている。
【００１３】
このように、前記回転機械支持装置が前記回転機械を支持している状態における前記回転機械支持装置の固有振動数が、前記回転機械の使用回転周波数の範囲外に設定されているので、回転機械の回転に起因する振動特性を精度よく抽出・計測することができる。
【００１４】
本発明の好ましい実施形態によると、前記固体材料には、深さ方向が第１の溝と反対方向となる第３の溝が形成されており、かつ、第１および第３の溝は、鉛直方向に間隔をおいて設けられており、
第３の溝は、該溝の深さ方向と交差する方向であって該溝が延びる方向に前記固体材料を貫通している。
【００１５】
このように、前記固体材料には、深さ方向が第１の溝と反対方向となる第３の溝が形成されており、かつ、第１および第３の溝は、鉛直方向に間隔をおいて設けられているので、第１および第３の溝により前記固体材料に、略Ｓ字状の部分を形成でき（後述の図２（Ａ）、図４を参照）、これにより、鉛直方向に変位量が比較的小さい振動特性を有するようにできる。この場合、第１および第３の溝の数（即ち、略Ｓ字状の部分の数）を調節することで、鉛直方向に関する振動特性を調節できる。
【００１６】
本発明の好ましい実施形態によると、所定の水平左右方向に間隔を置いて配置された１対の前記バネが、該水平左右方向と直交する水平前後方向の２箇所に設けられており、第１の水平方向に関する回転機械支持装置の固有振動数、第２の水平方向に関する回転機械支持装置の固有振動数、鉛直方向に関する回転機械支持装置の固有振動数、第１の水平方向を向く中心軸の周りの回転方向に関する回転機械支持装置の固有振動数、鉛直方向を向く中心軸の周りの回転方向に関する回転機械支持装置の固有振動数、および第２の水平方向を向く中心軸の周りの回転方向に関する回転機械支持装置の固有振動数は、いずれも前記回転機械の使用回転周波数の範囲外になるように、前記溝が形成されている。
【００１７】
これにより、回転機械支持装置に６次元の剛性振動モードを持たせることができ、前記溝の深さ、幅、数、位置の調整によりいずれの振動モードもそれぞれ自在に固有振動数を設定可能にでき、しかも、いずれの剛性振動モードの固有振動数も前記回転機械の定時の使用回転周波数（常用回転数）の範囲外に設定できる。これにより、回転機械の回転に起因する振動特性を精度よく抽出・計測することが可能になる。
前記６次元の剛性振動モードの設定は次の通りである。即ち、第１の水平方向（例えば水平左右方向）に関する回転機械支持装置の振動特性（１次モード）は、第１の水平方向に入れられている溝（図５の例では、溝３ｂ、３ｃ）により調節可能であり、第２の水平方向（例えば水平前後方向）に関する回転機械支持装置の振動特性（２次モード）は、第２の水平方向に入れられる溝（図５の例では、溝３ａ、３ｄ）により調節可能であり、鉛直方向に関する回転機械支持装置の振動特性（３次モード）は、高いバネ定数の振動モードとなるかまたは上述の略Ｓ字状の部分により調節可能であり、第２の水平方向を向く中心軸（ロール軸）の周りの回転方向に関する回転機械支持装置の振動特性（４次モード）は、高いバネ定数の振動モードとなるかまたは第１の水平方向に間隔を置いて位置する前記バネに形成する上述の略Ｓ字状の部分により調節可能であり、鉛直方向を向く中心軸（ヨー軸）の周りの回転方向に関する回転機械支持装置の振動特性（５次モード）は、第１の水平方向または第２の水平方向に間隔を置いて位置する前記バネ（より詳しくは、図５の例では、これらバネ１０の溝３ａ〜３ｄ）により与えられ、第１の水平方向を向く中心軸（ピッチ軸）の周りの回転方向に関する回転機械支持装置の振動特性（６次モード）は、高いバネ定数の振動モードとなるかまたは第２の水平方向に間隔を置いて位置する前記バネに形成する上述の略Ｓ字状の部分により調節可能である。
【発明の効果】
【００１８】
上述した本発明によると、回転機械を支持する回転機械支持装置において、水平２方向にバネ定数を容易かつ自在に設定できるとともに、鉛直方向のバネ定数は高く維持できる。
【発明を実施するための最良の形態】
【００１９】
本発明を実施するための最良の実施形態を図面に基づいて説明する。なお、各図において共通する部分には同一の符号を付し、重複した説明を省略する。
【００２０】
図１は、本発明の実施形態による回転機械支持装置２０の構成図である。図１（Ａ）は図１（Ｂ）の１Ｂ−１Ｂ線矢視図であり、図１（Ｂ）は図１（Ａ）の１Ａ−１Ａ線矢視図である。
【００２１】
回転機械支持装置２０は、回転駆動される回転軸２を有する回転機械５を支持する装置であり、図１に示すように、回転機械５をバネ１０を介して支持する支持体７を備える。本実施形態では、４本のバネ１０を介して回転機械５が支持体７に支持されている。具体的には、水平左右方向（図１（Ａ）の左右方向）に間隔を置いて配置された１対のバネ１０が、該水平左右方向と直交する水平前後方向（図１（Ａ）の紙面と垂直な方向）の２箇所に設けられている。なお、図１では、回転機械５は、回転機械５が取り付け固定される取付部材６を介して各バネ１０に結合されている。各バネと取付部材６および支持体７との結合、回転機械５と取付部材６との結合はボルトなどの適切な結合手段でなされてよい。また、支持体７は所定位置に固定された定盤であってよい。なお、図１では、４つのバネ１０のうち、水平左右方向に配置される
【００２２】
（バネの構成）
図２は、図１に示す各バネ１０の構成図である。図２（Ａ）は図２（Ｂ）の２Ａ−２Ａ線矢視図であり、図２（Ｂ）は図２（Ａ）の２Ｂ−２Ｂ線矢視図であり、図２（Ｃ）は図２（Ａ）の２Ａ−２Ａ線矢視図であり、図２（Ｄ）は図２（Ａ）の２Ｄ−２Ｄ線矢視図であり。
【００２３】
前記バネ１０は、固体材料１に対し、第１の水平方向（図１（Ａ）では紙面と垂直な方向）に深さを持つ溝３ａ、３ｄと、該第１の水平方向と交差（図１では直交）する第２の水平方向に深さを持つ溝３ｂ、３ｃとが入れられたものである。溝３ａ〜３ｄの各々は、該溝の深さ方向と交差する方向であって該溝が延びる方向に前記固体材料１を貫通している。
【００２４】
図２の例では、溝３ａ〜３ｄはスリット状である。これにより、固体材料１にスリットを入れる簡単な加工によりバネ１０を製作できる。
【００２５】
前記固体材料１は、所定の形状の金属であり、予め材料特性（ヤング率、比重など）が知られている素材であるのがよい。また、図２では、固体材料１は、断面が正方向または長方形である四角柱の形状をしているが、本発明によると、固体材料１の形状は、他の角柱形状や円柱形状を含む柱状など、他の適切な形状であってもよい。
【００２６】
図２の例では、溝３ａ、３ｂ、３ｃまたは３ｄの底部の断面形状は略円弧状となっている。なお、この断面形状は、溝の深さ方向と垂直な断面の形状である。本発明によると、溝３ａ〜３ｄの底部の前記断面形状は、これに限定されず、その曲率が全体に渡って連続的に変化していればよい。これにより、バネ１０の変形時に溝３ａ〜３ｄの底部に作用する応力を分散することができる。
【００２７】
図３は、バネの変位の説明図であり、簡単のため溝３ｂを１つのみ示している。図３の矢印が示すように、溝３ｂを入れた方向（即ち、溝の深さ方向）のバネ定数は、溝３ｂの幅、溝３ｂの深さによって容易に調節することができる。なお、溝３ｂの幅は、図２（Ａ）における上下方向の溝３ｂの寸法である。
【００２８】
図２の例では、溝３ａ〜３ｄ、が形成されており、溝３ａ〜３ｄは互いに異なる方向から入れられ、かつ、溝３ａ〜３ｄは、鉛直方向に間隔をおいて設けられている。このように、溝３ａ〜３ｄは、互いに異なる方向から入れられているので、溝３ａを入れる方向の前記バネ定数の度合いを、固体材料１、溝３ａの幅、溝３ａの深さによって調節することができ、溝３ｂを入れる方向の前記バネ定数の度合いを、溝３ｂの幅、溝３ｂの深さによって調節することができ、溝３ｃを入れる方向の前記バネ定数の度合いを、溝３ｃの幅、溝３ｃの深さによって調節することができ、溝３ｄを入れる方向の前記バネ定数の度合いを、溝３ｄの幅、溝３ｄの深さによって調節することができ、水平２方向に関するバネ定数を任意に設定することができる。好ましくは、図３のように、溝３ａ、３ｄと溝３ｂ、３ｃとは、互いに直交する方向から入れられる。これにより、図１（１）の左右方向と紙面と垂直な方向のバネ定数を、互いに独立して設定することができる。
【００２９】
また、図２において、溝３ｂと溝３ｃとは互いに反対方向から固体材料１に入れられており、溝３ｂと溝３ｃとは、鉛直方向（図３の上下方向）に間隔をおいて設けられている。このようにして、図２（Ａ）に示すように、溝３ｂ，３ｃにより前記固体材料１に略Ｓ字状の部分を形成でき、これにより、鉛直方向にも、変位量が比較的小さい振動特性を有するようにできる。これを図４に模式的に示す。この場合、溝３ｂ，３ｃの数（即ち、略Ｓ字状の部分の数）を調節することで、溝３ｂ，３ｃが入れられる方向と垂直な方向に関する振動特性を調節できる。なお、溝３ａと溝３ｄについても同様である。
【００３０】
なお、図２の例では、溝３ｃは２つ設けられている。このように、同じ方向に入れられる溝の数を調節することでも、当該方向のバネ定数を調節してもよい。
また、図１では、図２に示すバネ１０を、回転軸２に対して左右対称となるように左右方向（図１（Ａ）の左右）の２箇所に配置し、これら１対のバネ１０を、前後対称となるように前後方向（図１（Ａ）の紙面と垂直な方向）の２箇所に配置している。
【００３１】
（回転機械支持装置の作用）
上記本発明の回転機械支持装置２０では、前記回転機械５をバネ１０を介して支持する支持体７を備え、前記バネ１０は、金属の固体材料１（例えば、柱状の固体材料）に対し、第１の水平方向に深さを持つ第１の溝３ａ、３ｄと、該第１の水平方向と交差する第２の水平方向に深さを持つ第２の溝３ｂ，３ｃとが入れられたものであり、第１および第２の溝３ａ〜３ｄの各々は、該溝の深さ方向と交差する方向であって該溝が延びる方向に前記固体材料１を貫通しているので、第１の溝３ａ、３ｄの幅と深さを変えることで、第１の水平方向におけるバネ定数を容易かつ自在に設定することができ、第２の溝３ｂ，３ｃの幅と深さを変えることで、第２の水平方向におけるバネ定数を容易かつ自在に設定することができ、しかも、鉛直方向にはバネ定数・剛性を高く維持することができる。
【００３２】
このように、鉛直方向にはバネ定数・剛性を高いので、回転機械支持装置２０で回転機械５を支持した状態で、バランス修正加工を行う場合に、特別な固定機構を用いなくとも、鉛直方向位置の加工位置が安定する。なお、バネ１０を介して回転機械５を支持するので、支持体７で発生する外乱振動の影響を遮断でき、回転機械５を弾性的に支持するので、バネ１０と取付部材６および支持体７との結合に用いるボルトや締結ネジのトルクによる影響も排除することができる。
【００３３】
また、図１に示すように、水平左右方向（図１（Ａ）の左右方向）に間隔を置いて配置された１対のバネ１０が、該水平左右方向と直交する水平前後方向（図１（Ａ）の紙面と垂直な方向）の２箇所に設けられているので、６次元の振動モードを持つ回転機械支持装置２０を実現できる。図５は、６次元の振動モードの説明図であり、図１（Ａ）に対応する。図５に示すように、水平左右方向に関する回転機械支持装置２０の振動特性（１次モード）は、水平左右方向に入れられている溝（図５の例では、溝３ｂ、３ｃ）により与えられ、水平前後方向に関する回転機械支持装置２０の振動特性（２次モード）は、水平前後方向に入れられる溝（図５の例では、溝３ａ、３ｄ）により与えられ、鉛直方向に関する回転機械支持装置２０の振動特性（３次モード）は、高いバネ定数の振動モードとなり、水平前後方向を向く中心軸（ロール軸）の周りの回転方向に関する回転機械支持装置２０の振動特性（４次モード）は、高いバネ定数の振動モードとなり、鉛直方向を向く中心軸（ヨー軸）の周りの回転方向に関する回転機械支持装置２０の振動特性（５次モード）は、水平左右方向または水平前後方向に間隔を置いて位置する前記バネ１０（より詳しくは、図５の例では、これらバネ１０の溝３ａ〜３ｄ）により与えられ、水平左右方向を向く中心軸（ピッチ軸）の周りの回転方向に関する回転機械支持装置２０の振動特性（６次モード）は、高いバネ定数の振動モードとなる。これら各振動モードは、溝３ａ〜３ｄや後述の略Ｓ字状の部分の数、位置、寸法などにより調節可能であり、本実施形態では、後述のように、各振動モードの固有振動数は、回転機械５の使用回転数域の範囲外になるように調節される。
【００３４】
本実施形態ではバネ１０は上述のＳ字状の部分を有するので、前記３次モードは、前記略Ｓ字状の部分により変位量が比較的小さい振動モードとなる。この前記略Ｓ字状の部分により、前記４次モードは、水平左右方向の１対の前記バネ１０において形成される前記略Ｓ字状の部分により変位量が比較的小さい振動モードとなる。前記６次モードは、水平前後方向の１対の前記バネ１０において形成される前記略Ｓ字状の部分により変位量が比較的小さい振動モードとなる。従って、略Ｓ字状の部分により（例えば、その数、位置、寸法）により、前記３次モード、前記４次モード、前記６次モードの固有振動数を調節することができる。
【００３５】
前記回転機械支持装置２０が前記回転機械５を支持している状態における前記回転機械支持装置２０の固有振動数が、前記回転機械５の使用回転周波数の範囲外に設定されているので、回転機械５の回転に起因する振動特性を精度よく抽出・計測することができる。図１の例では、回転機械５のバランス修正計測に必要とする回転機械支持装置２０の振動特性に合わせて、各バネ１０の各方向におけるバネ定数を定めることができる。過給機やターボ圧縮機やガスタービンなどの回転機械５の回転軸２が所定の使用回転数域（例えば、３万〜１２万ｒｐｍ＝５００Ｈｚ〜２０００Ｈｚ）で回転している状態の回転機械５の振動特性を抽出する場合には、（回転機械５が回転していない状態における）回転機械支持装置２０の振動数（固有振動数）が、前記使用回転数域の範囲外となるように、各バネ１０のバネ定数を設定する。具体的には、回転機械支持装置２０が持つ上述の１次モード〜６次モードのいずれの振動数（固有振動数）も、前記使用回転数域の範囲外（好ましくは、前記使用回転数域よりも低い振動数）となるように、かつ７次モード以降の振動数（固有振動数）が、前記使用回転数域の範囲外（好ましくは、前記使用回転数域よりも高い振動数）となるように、各バネ１０のバネ定数を設定する。これにより、図１、図５の構成のように、回転機械５を設置することで、回転機械５の回転に起因する振動特性を精度よく抽出・計測することができる。
【００３６】
なお、「取付部材６＋回転機械５」の重心位置に対するバネ１０の位置を考慮すると、図１（Ａ）に示すように、各バネ１０の上端と回転機械５の回転軸２中心とは、ほぼ同じ高さに位置することが好ましい。そのために、図１（Ａ）のように、取付部材６の両側面から側方に張り出している張出部６ａを設け、各バネ１０の上端部は張出部６ａの下面に取り付けられるようにしてもよい。
また、図６は、「取付部材６＋回転機械５」の重心位置と各バネ１０の理想的な位置関係を示す平面図である。図６に示すように、より好ましくは、各バネ１０を頂点とする矩形の対角線の交点に「取付部材６＋回転機械５」の重心を位置させる。さらに、回転軸２は、「取付部材６＋回転機械５」の重心位置と同じ高さにあるとよい。また、取付部材６の重心を下げるため、左右のバネ１０の間における取付部材６の部分は、図１（Ａ）のように下方に延びているのがよい。
図７は、張出部６ａに対する各バネ１０の取り付け方を示す。図７のように、Ｘ方向とＹ方向の２方向から、ボルト４を締付けてバネ１０を取付部材６に固定するのが好ましい。このようすると、回転機械５の回転アンバランス量を計測する時に、取付部材６が振動しても、張出部６ａがバネ１０に対して滑らず、張出部６ａをバネ１０に対して確実に固定できる。なお、ボルト４を付ける方向は、Ｘ方向とＹ方向の２方向だけでよく、Ｚ方向（回転機械５の軸方向）のボルトは省略することができる。すなわち、アンバランス量計測時、取付部材６はＸ方向とＹ方向には振動するが、Ｚ方向にはあまり振動しないからである。
【００３７】
［実施例］
図８は、上述した回転機械支持装置２０を用いたアンバランス量計測装置を示す。図８（Ｂ）は、図８（Ａ）の破線で囲んだ部分における取付部材６内部を示す透視図である。
この実施例では、回転機械５は車両用過給機であり、回転機械支持装置２０により車両用過給機５を支持した状態で、車両用過給機５の回転アンバランス量を計測する。
図８（Ｂ）において、車両用過給機５の（実機のものではない）試験用タービンハウジング１３がボルト１５により上述の取付部材６に固定されるとともに。車両用過給機５の軸受ハウジング１７が油圧クランプ１８により剛性部材１９を介して取付部材６に押し付けられている。これにより、車両用過給機５が取付部材６に取り付けられている。なお、符号２２は、油圧クランプ１８の油圧シリンダを示す。油圧シリンダ２２は取付部材６に固定されている。
図８（Ａ）は図１（Ｂ）に対応し、この実施例では、上述の実施形態と同様に、回転機械支持装置の４つの前記バネ１０により取付部材６を介して車両用過給機５を支持している。この実施例における回転機械支持装置２０の他の構成は、上述の実施形態と同じであってよい。なお、図９は、図８（Ａ）の構成をコンプレッサ側の上方から見た詳細斜視図である。
図８の状態で、回転アンバランス量を計測する。具体的には、タービンインペラ２７に流体を供給して回転軸２を回転駆動し、回転軸２の回転速度が所定値に達したら、加速度ピックアップ１１で回転軸２の加速度（即ち、振動）を検出しつつ、回転角検出器１２により回転軸２の回転角を検出する。これにより、例えば演算器１４が、どの回転角でどの程度の加速度（振動）が生じているかを検出する。この検出データを回転アンバランス量のデータとする。なお、加速度ピックアップ１１は、好ましくは、張出部６ａに取り付けられており、さらに好ましくは、回転軸２と同じ高さに位置する。
回転アンバランス量の計測が終了したら、車両用過給機５を回転機械支持装置２０から取り外すことなく、回転バランス修正を行う。具体的には、図８（Ｂ）に対応する図１０のように、回転アンバランス量の計測データに基づいてナット２５の一部をエンドミルなどの加工装置２９により除去することで、回転バランス修正を行うことができる。この時、回転軸２が回転してしまわないように、コレットチャックなどの把持装置３１によりタービンインペラ２７側の回転軸２先端部を把持しておく。把持装置３１は、タービン排気口１６から、試験用タービンハウジング１３の内部に入れることができる。
【００３８】
本発明は上述した実施の形態に限定されず、本発明の要旨を逸脱しない範囲で種々変更を加え得ることは勿論である。
【００３９】
バネ１０は、予め用意した固体材料１に対して機械加工により溝３、３ａ〜３ｄを入れてもよいし、固体材料１をモールド成型する場合には、溝３、３ａ〜３ｄに対応する形状を有するモールドを用いた成型により、溝３、３ａ〜３ｄを有する固体材料１、即ち、バネ１０をモールド成型することもできる。バネ１０は、このようにモールド成型された鋳物であってもよい。
【００４０】
また、各溝３ａ〜３ｄの数は、図に示した数に限定されず、適宜変更してよい。
【００４１】
バネ１０の材料は、金属であってもよいし、金属以外の別の材料であってもよい。
【００４２】
バネ１０と取付部材６とをモールドにより一体成形してもよい。バネ１０と取付部材６とは、一体成形された鋳造物で構成してもよい。
【図面の簡単な説明】
【００４３】
【図１】本発明の実施形態による回転機械支持装置の構成図であり、（Ａ）は（Ｂ）の１Ｂ−１Ｂ線矢視図であり、（Ｂ）は（Ａ）の１Ａ−１Ａ線矢視図である。
【図２】図１のバネを示す図であり、（Ａ）は（Ｂ）の２Ａ−２Ａ線矢視図であり、（Ｂ）は（Ａ）の２Ｂ−２Ｂ線矢視図であり、（Ｃ）は（Ａ）の２Ｃ−２Ｃ線矢視図であり、（Ｄ）は（Ａ）の２Ｄ−２Ｄ線矢視図である。
【図３】バネの弾性変形を示す図である。
【図４】Ｓ字状部分によるバネの変形を示す図である。
【図５】回転機械支持装置の６次元振動モードの説明図である。
【図６】「回転機械＋取付部材」の重心を示す平面図である。
【図７】取付部材に対するバネの取り付け方を示す図である。
【図８】本発明の回転機械支持装置を用いた回転アンバランス量計測装置を示し、（Ｂ）は（Ａ）の部分透視図である。
【図９】図８（Ａ）の詳細斜視図である。
【図１０】回転バランス修正加工を示す図である。
【符号の説明】
【００４４】
１・・・固体材料、２・・・回転軸、３、３ａ〜３ｄ・・・溝、５・・・回転機械、６・・・取付部材、６ａ・・・張出部、７・・・支持体、１０・・・バネ、１１・・・加速度ピックアップ、１２・・・回転角検出器、１３・・・試験用タービンハウジング、１４・・・演算器、１５・・・ボルト、１６・・・タービン排気口、１７・・・軸受ハウジング、１８  油圧クランプ、１９・・・剛性部材、２０・・・回転機械支持装置、２１・・・コンプレッサインペラ、２２・・・油圧シリンダ、２５・・・ナット、２７・・・タービンインペラ、２９・・・加工装置、３１・・・把持装置
【図１】
2010014596.tif 000003
【図２】
2010014596.tif 000004
【図３】
2010014596.tif 000005
【図４】
2010014596.tif 000006
【図５】
2010014596.tif 000007
【図６】
2010014596.tif 000008
【図７】
2010014596.tif 000009
【図８】
2010014596.tif 000010
【図９】
2010014596.tif 000011
【図１０】
2010014596.tif 000012